(57)【要約】【課題】低コストで複数の照明装置間の位置関係を特定することが可能な照明制御装置等を提供する。【解決手段】発光制御部３１１は、異なる位置にそれぞれ配置された複数の照明装置のそれぞれの光度を、所定のパターンに従って変化させる。照度取得部３１２は、複数の照明装置が照射した光の照度を計測する。影響度算出部３１３は、発光制御部３１１による複数の照明装置の光度の変化と、照度取得部３１２により取得された照度の変化と、に基づいて、照明装置毎に、照明装置が照射した光が、照度計測装置が計測する照度に影響を与える度合を表す影響度を算出する。照明位置特定部３１４は、既知である照度計測装置の位置と、影響度とに基づいて、各照明装置の位置を特定する。【選択図】図９
2015041569.tif 000002
【特許請求の範囲】
【請求項１】
異なる位置にそれぞれ配置された複数の照明装置と、該複数の照明装置が照射した光の照度を計測する少なくとも１つの第１照度計測装置と、に通信可能に接続され、前記複数の照明装置の光度を制御する照明制御装置であって、
前記複数の照明装置のそれぞれの光度を、所定のパターンに従って変化させる第１発光制御部と、
前記第１照度計測装置から、該第１照度計測装置が計測した第１照度を取得する第１照度取得部と、
前記第１発光制御部による前記複数の照明装置の光度の変化と、前記第１照度取得部により取得された第１照度の変化と、に基づいて、前記照明装置毎に、前記照明装置が照射した光が、前記第１照度計測装置が計測する第１照度に影響を与える度合を表す影響度を算出する影響度算出部と、
を備えることを特徴とする照明制御装置。
【請求項２】
前記第１照度計測装置毎に、前記第１照度計測装置の位置を表す位置情報を記憶する計測位置記憶部と、
前記照明装置毎に、前記影響度算出部により算出された、前記照明装置の前記第１照度計測装置それぞれに対する影響度と、前記計測位置記憶部に記憶された前記第１照度計測装置それぞれの位置と、に基づいて、前記照明装置の位置を特定する照明位置特定部と、
をさらに備えることを特徴とする請求項１に記載の照明制御装置。
【請求項３】
前記複数の照明装置それぞれの既知である設定位置を記憶する既知照明位置記憶部をさらに備え、
前記照明位置特定部は、前記照明装置毎に、前記既知照明位置記憶部から、特定された前記照明装置の位置に最も近い設定位置を特定し、前記照明装置の通信アドレスと、特定された設定位置とを対応付ける、
ことを特徴とする請求項２に記載の照明制御装置。
【請求項４】
前記第１照度計測装置毎に、前記第１照度計測装置に対する影響度が最も大きい照明装置を特定し、特定した照明装置を１つのグループを構成する照明装置として特定するグループ特定部をさらに備える、
ことを特徴とする請求項１乃至３のいずれか１項に記載の照明制御装置。
【請求項５】
前記照明装置毎に、前記照明装置が最も大きい影響度を与える前記第１照度計測装置を特定し、特定された前記第１照度計測装置が同じである前記照明装置同士を、１つのグループを構成する照明装置として特定するグループ特定部をさらに備える、
ことを特徴とする請求項１乃至３のいずれか１項に記載の照明制御装置。
【請求項６】
前記照明装置毎に、前記第１発光制御部により制御される前記照明装置の光度の制御値と、該制御値で前記照明装置の光度を制御したときに、前記照明装置が最も大きい影響度を与える前記第１照度計測装置が計測した第１照度と、の対応関係を取得し、取得された対応関係に基づいて、前記第１照度計測装置毎に予め設定された所定の第１照度に対応する制御値を特定する基準光度特定部と、
前記基準光度特定部により特定された制御値で前記照明装置それぞれの光度を制御する第２発光制御部と、をさらに備える、
ことを特徴とする請求項１乃至５のいずれか１項に記載の照明制御装置。
【請求項７】
前記複数の照明装置それぞれと対応付けて配置された第２照度計測装置から、該第２照度計測装置が計測した第２照度を取得する第２照度取得部と、
前記照明装置毎に、前記照明装置が所定の光度で照射したときの、前記照明装置が最も大きい影響度を与える前記第１照度計測装置により計測された第１照度と、前記照明装置に対応する前記第２照度計測装置により計測された第２照度と、の対応関係を取得するに照度関係取得部と、をさらに備え、
前記照度関係取得部により取得された対応関係に基づいて、前記照明装置毎に、前記照明装置が最も大きい影響度を与える前記第１照度計測装置が計測する第１照度が所定の第１照度であるときの第２照度を特定し、前記照明装置に対応する前記第２照度計測装置により計測された第２照度が、特定された第２照度となるように、前記照明装置の光度を制御する第２発光制御部と、をさらに備える、
ことを特徴とする請求項１乃至５のいずれか１項に記載の照明制御装置。
【請求項８】
異なる位置にそれぞれ配置された複数の照明装置と、該複数の照明装置が照射した光の照度を計測する少なくとも１つの第１照度計測装置と、に通信可能に接続され、前記複数の照明装置の光度を制御する照明制御方法であって、
前記複数の照明装置のそれぞれの光度を、所定のパターンに従って変化させる第１発光制御ステップと、
前記第１照度計測装置から、該第１照度計測装置が計測した第１照度を取得する第１照度取得ステップと、
前記複数の照明装置の光度の変化と、取得された第１照度の変化と、に基づいて、前記照明装置毎に、前記照明装置が照射した光が、前記第１照度計測装置が計測する第１照度に影響を与える度合を表す影響度を算出する影響度算出ステップと、
を有することを特徴とする照明制御方法。
【請求項９】
異なる位置にそれぞれ配置された複数の照明装置と、該複数の照明装置が照射した光の照度を計測する少なくとも１つの第１照度計測装置と、に通信可能に接続され、前記複数の照明装置の光度を制御するコンピュータに、
前記複数の照明装置のそれぞれの光度を、所定のパターンに従って変化させる第１発光制御ステップと、
前記第１照度計測装置から、該第１照度計測装置が計測した第１照度を取得する第１照度取得ステップと、
前記複数の照明装置の光度の変化と、取得された第１照度の変化と、に基づいて、前記照明装置毎に、前記照明装置が照射した光が、前記第１照度計測装置が計測する第１照度に影響を与える度合を表す影響度を算出する影響度算出ステップと、
を実行させるためのプログラム。
【発明の詳細な説明】
【技術分野】
【０００１】
本発明は、照明制御装置、照明制御方法、及びプログラムに関する。
【背景技術】
【０００２】
一般的な照明制御システムにおいて、照明装置の点灯・消灯状態や調光設定は、照明装置と通信可能に接続された照明制御装置によって制御される。このような照明制御システムでは、照明制御装置は、照明装置に割り当てられた通信アドレスにより照明装置を指定して通信を行うことで、各照明装置を制御する。また、照明装置の制御方法として、複数の照明装置の通信アドレスをグルーピングし、１回の操作により、複数の照明装置をまとめて制御することがある。また、照明制御対象エリア内の人の有無を表す在席情報と連携して、当該エリアの照明装置を制御することがある。このような制御のため、ユーザは、制御する対象となる照明装置の通信アドレスと、その照明装置の位置との対応関係を予め知る必要がある。この対応関係を自動で検出する方法として、例えば、特許文献１では、照明器具と位置検出機器との間で無線通信を行い、その受信レベルと、位置検出機器間の距離に基づいて、照明器具の設置位置を検出する技術を開示している。
【先行技術文献】
【特許文献】
【０００３】
【特許文献１】特開２００８−２４３８０６号公報
【発明の概要】
【発明が解決しようとする課題】
【０００４】
しかし、特許文献１に開示された技術では、各照明器具が、基本的に備える調光手段の他に、無線通信手段を備える必要があり、各照明器具が無線通信手段を備えていない場合にはコストがかかるという問題点がある。
【０００５】
本発明は、上述の事情の下になされたもので、低コストで複数の照明装置間の位置関係を特定することが可能な照明制御装置、照明制御方法、及びプログラムを提供することを目的とする。
【課題を解決するための手段】
【０００６】
上記目的を達成するため、本発明に係る照明制御装置は、
異なる位置にそれぞれ配置された複数の照明装置と、該複数の照明装置が照射した光の照度を計測する少なくとも１つの第１照度計測装置と、に通信可能に接続され、前記複数の照明装置の光度を制御する照明制御装置であって、
前記複数の照明装置のそれぞれの光度を、所定のパターンに従って変化させる第１発光制御部と、
前記第１照度計測装置から、該第１照度計測装置が計測した第１照度を取得する第１照度取得部と、
前記第１発光制御部による前記複数の照明装置の光度の変化と、前記第１照度取得部により取得された第１照度の変化と、に基づいて、前記照明装置毎に、前記照明装置が照射した光が、前記第１照度計測装置が計測する第１照度に影響を与える度合を表す影響度を算出する影響度算出部と、
を備えることを特徴とする。
【発明の効果】
【０００７】
本発明によれば、低コストで複数の照明装置間の位置関係を特定することができる。
【図面の簡単な説明】
【０００８】
【図１】実施形態１に係る照明制御システムの概略配置を示すブロック図である。
【図２】実施形態１に係る照明装置、照度計測装置、及び照明制御装置のハードウェア構成を示す概略ブロック図である。
【図３】発光設定記憶部に格納されている発光パターンを表すデータの一例を示す図である。
【図４】通信アドレス記憶部に格納されている照明装置毎の通信アドレスを表すデータの一例を示す図である。
【図５】計測情報記憶部に格納されている照度を表すデータの一例を示す図である。
【図６】影響度記憶部に格納されている影響度を表すデータの一例を示す図である。
【図７】（ａ）は計測位置記憶部に格納されている各照度計測装置の位置を表すデータの一例を示す図、（ｂ）は（ａ）に示す照度計測装置の位置を規定する座標系を説明するための図である。
【図８】照明位置記憶部に格納されている各照明装置の位置を表すデータの一例を示す図である。
【図９】実施形態１に係る照明制御装置の制御部の機能構成を示す概略ブロック図である。
【図１０】照明位置特定処理の流れの一例を示すフローチャートである。
【図１１】（ａ）は既知照明位置記憶部に格納されたデータの一例を示す図、（ｂ）は照明位置アドレス記憶部に格納されたデータの一例を示す図である。
【図１２】実施形態３に係る照明制御装置の制御部の機能構成を示す概略ブロック図である。
【図１３】実施形態３に係る照明制御システムの概略配置を示すブロック図である。
【図１４】実施形態４に係る照明制御システムの概略配置を示すブロック図である。
【図１５】実施形態５に係る照明制御装置の制御部の機能構成を示す概略ブロック図である。
【図１６】基準光度記憶部に格納されるデータの一例を示す図である。
【図１７】実施形態６に係る照明制御システムの概略配置を示すブロック図である。
【図１８】実施形態６に係る照明制御装置の制御部の機能構成を示す概略ブロック図である。
【図１９】照度関係記憶部に格納されるデータの一例を示す図である。
【発明を実施するための形態】
【０００９】
以下、本発明の実施形態を添付図面を参照しながら詳細に説明する。
【００１０】
（実施形態１）
図１は、本発明の実施形態１に係る照明制御システム１の概略配置を示すブロック図である。図１に示すように、本実施形態に係る照明制御システム１は、照明装置１００と、照明装置１００ａ〜１００ｄが照射した光の照度を計測する照度計測装置２００ａ，２００ｂと、照明装置１００ａ〜１００ｄの光度を制御する照明制御装置３００と、から構成される。
【００１１】
照明装置１００ａ〜１００ｄは、図示しない電源から電源の供給を受けて可視光を照射する装置である。照明装置１００ａ〜１００ｄは、オフィスＯ内の天井面Ｃに設置される。照明装置１００ａ〜１００ｄは、照明制御装置３００と、通信線Ｌにより通信可能に接続され、照明制御装置３００からの制御信号に基づいて、照射する光の光度を変化させる。なお、図１では、４つの照明装置１００ａ〜１００ｄが図示されているが、照明装置の数は、複数であれば、これに限られない。また、照明装置１００ａ〜１００ｄは、それぞれ同様に構成されており、以下の説明では、照明装置１００ａ〜１００ｄを総称して照明装置１００と呼ぶ。照明装置１００の詳細な構成については、後述する。
【００１２】
照度計測装置２００ａ，２００ｂは、無線により、照明制御装置３００と通信可能に接続され、計測した照度を表す情報を、照明制御装置３００に送信する。照度計測装置２００ａ，２００ｂは、オフィスＯ内の、例えば床面や机上といった、所定の照度となるようにその照度を制御する必要がある場所に配置される。なお、図１では、２つの照度計測装置２００ａ，２００ｂが図示されているが、照度計測装置の数は、これに限られない。また、照度計測装置２００ａ，２００ｂは、それぞれ同様に構成されており、以下の説明では、照度計測装置２００ａ，２００ｂを総称して照度計測装置２００と呼ぶ。照度計測装置２００の詳細な構成については、後述する。
【００１３】
照明制御装置３００は、照明装置１００が照射する光の光度を制御する。具体的には、照明制御装置３００は、所定のパターンで照明装置１００の光度を制御し、その光度と、照度計測装置２００により計測された照度と、に、基づいて、照明装置１００の位置を特定する。照明制御装置３００の詳細な構成については、後述する。
【００１４】
図２は、照明装置１００、照度計測装置２００、及び照明制御装置３００のハードウェア構成を示す概略ブロック図である。
【００１５】
照明装置１００は、照射する可視光の光度が調整可能に構成されている。照明装置１００は、制御部１１０と、有線通信部１２０と、光源部１３０と、を備えている。
【００１６】
制御部１１０は、照明装置１００全体の制御を行う。制御部１１０は、図示しないＣＰＵ（Central Processing Unit）と、ＲＯＭ（Read Only Memory）と、ＲＡＭ（Random Access Memory）と、を備えている。ＣＰＵは、ＲＯＭに格納されたプログラムを実行することで、照明制御装置３００から送信される制御情報に従って、光源部１３０から照射される光の光度を変化させる。また、照明装置１００は、各照明装置１００を識別するための識別情報（照明ＩＤ）が割り当てられている。
【００１７】
有線通信部１２０は、通信線Ｌを介して照明制御装置３００と通信するための通信インターフェイスから構成される。有線通信部１２０は、照明制御装置３００の有線通信部３３０から送信された制御情報を受信し、制御部１１０に出力する。
【００１８】
光源部１３０は、例えば蛍光灯やＬＥＤ（Light Emitting Diode）ライトから構成される。
【００１９】
照度計測装置２００は、例えば無線通信機から構成される。照度計測装置２００は、制御部２１０と、照度センサ部２２０と、無線通信部２３０と、を備えている。
【００２０】
制御部２１０は、照度計測装置２００全体の制御を行う。制御部２１０は、図示しないＣＰＵと、ＲＯＭと、ＲＡＭと、を備えている。ＣＰＵは、ＲＯＭに格納されたプログラムを実行することで、照明制御装置３００からの制御情報が無線通信部２３０で受信されると、照度センサ部２２０による可視光の照度の計測を開始する。また、ＣＰＵは、照度の計測開始から所定期間が経過すると、即ち、全ての照明装置１００による光度の変化が完了するまでの期間が経過すると、照度の計測を完了する。また、照度計測装置２００は、各照度計測装置２００を識別するための識別情報（計測ＩＤ）が割り当てられている。
【００２１】
照度センサ部２２０は、可視光の照度を計測するものであって、例えば、フォトレジスタやフォトダイオードから構成される。
【００２２】
無線通信部２３０は、無線通信インターフェイスから構成される。無線通信部２３０は、照明制御装置３００の無線通信部３６０から送信された制御情報を受信し、制御部２１０に出力する。また、無線通信部２３０は、制御部２１０による制御の元、照度センサ部２２０により計測された照度の計測値を表す情報を、照明制御装置３００の無線通信部３６０へ送信する。
【００２３】
照明制御装置３００は、例えば、パーソナルコンピュータから構成される。照明制御装置３００は、制御部３１０と、記憶部３２０と、有線通信部３３０と、入力部３４０と、表示部３５０と、無線通信部３６０と、を備えている。
【００２４】
制御部３１０は、例えば、ＣＰＵと、ＲＯＭと、ＲＡＭとから構成されており、照明制御装置３００の全体の制御を行う。ＣＰＵは、ＲＯＭに格納されたプログラムを実行する。ＲＯＭは、制御部３１０が照明制御装置３００の全体を制御するためのプログラム等を格納する不揮発性メモリである。ＲＡＭは、制御部３１０が生成した情報や、当該情報を生成するために必要なデータを一時的に格納するための揮発性メモリである。
【００２５】
記憶部３２０は、ハードディスクドライブ等の記憶装置から構成される。具体的には、記憶部３２０は、発光設定記憶部３２０１と、通信アドレス記憶部３２０２と、計測情報記憶部３２０３と、影響度記憶部３２０４と、計測位置記憶部３２０５と、照明位置記憶部３２０６と、を備える。
【００２６】
発光設定記憶部３２０１は、照明装置１００の発光パターンを表すデータを記憶する。図３に、発光設定記憶部３２０１に格納されている発光パターンを表すデータの一例を示す。図３に示す発光パターンは、照明装置１００毎の、光度を制御するための制御値の変化量αの時間変化を表している。具体的には、制御値の変化量αn,kは、照明ＩＤがｎである照明装置１００の、シーケンス番号ｋにおける制御値の変化量を表す。ここで、制御値の変化量は、照明装置１００毎に予め設定された基準制御値Ｃnからの変化量である。制御部３１０は、照明装置１００毎に、発光設定記憶部３２０１に格納された変化量αに基づいて、照明装置１００の制御値を決定し、シーケンス番号の順に、決定した制御値で照射する旨の制御情報を各照明装置１００に送信する。発光設定記憶部３２０１に格納された発光パターンは、例えば、予めユーザにより、入力部３４０を介して入力されることにより、発光設定記憶部３２０１に格納される。
【００２７】
通信アドレス記憶部３２０２は、照明装置１００毎の通信アドレスを記憶する。図４に、通信アドレス記憶部３２０２に格納されている照明装置１００毎の通信アドレスを表すデータの一例を示す。制御部３１０は、通信アドレス記憶部３２０２に記憶された通信アドレスを参照して、各照明装置１００に制御情報を送信する。
【００２８】
計測情報記憶部３２０３は、照度計測装置２００から取得した照度を表すデータを記憶する。図５に、計測情報記憶部３２０３に格納されている照度を表すデータの一例を示す。図５に示すように、計測情報記憶部３２０３は、照度計測装置２００毎に、シーケンス番号ｋと、そのシーケンス番号に対応して、計測ＩＤがｍである照度計測装置２００が取得した計測値Ｅm,kを格納している。
【００２９】
影響度記憶部３２０４は、照明装置１００毎に、各照度計測装置２００に対する影響度を記憶する。ここで、影響度は、照明装置１００が照射した光が、照度計測装置２００が計測する照度に影響を与える度合を表す。照明装置１００が照度計測装置２００から遠い程、その照明装置１００の光が、その照度計測装置２００の照度に与える影響は小さくなり、逆に、照明装置１００が照度計測装置２００から近い程、その照明装置１００の光が、その照度計測装置２００の照度に与える影響は大きくなる。従って、照明装置１００の照度計測装置２００に対する影響度は、その照明装置１００と照度計測装置２００との間の距離関係を表す。
【００３０】
図６に、影響度記憶部３２０４に格納されている影響度を表すデータの一例を示す。図６に示すように、影響度記憶部３２０４は、照明ＩＤがｎである照明装置１００の、計測ＩＤがｍである照度計測装置２００に対する影響度ｒm,nを格納している。なお、影響度記憶部３２０４に格納されている影響度は、制御部３１０により算出され、格納される。影響度の算出方法については、後述する。
【００３１】
計測位置記憶部３２０５は、各照度計測装置２００の位置を記憶する。図７（ａ）に、計測位置記憶部３２０４に格納されている各照度計測装置２００の位置を表すデータの一例、（ｂ）に（ａ）に示す照度計測装置２００の位置を規定する座標系を説明するための図を示す。図７（ｂ）は、オフィスＯを上方から見た概略平面図であり、図７（ａ）に示される各照度計測装置２００の位置（ｘ、ｙ）は、図７（ｂ）に示されるＸ−Ｙ座標系を用いて表される。各照度計測装置２００の位置は、例えば、予めユーザにより計測され、入力部３４０を介してその計測値が入力されることにより、計測位置記憶部３２０５に格納される。
【００３２】
照明位置記憶部３２０６は、各照明装置１００の位置を記憶する。図８に、照明位置記憶部３２０６に格納されている各照明装置１００の位置を表すデータの一例を示す。図８に示される各照明装置１００の位置（ｘ、ｙ）は、図７（ｂ）に示されるＸ−Ｙ座標系を用いて表される。なお、照明位置記憶部３２０６に格納されている照明装置１００の位置は、制御部３１０により算出され、格納される。照明装置１００の位置の算出方法については、後述する。
【００３３】
図２に戻って、有線通信部３３０は、通信線Ｌを介して照明装置１００と通信するための通信インターフェイスから構成される。有線通信部３３０は、制御部３１０による制御の元、制御情報を各照明装置１００に送信する。
【００３４】
入力部３４０は、ユーザが照明制御装置３００を操作するためのマウスやキーボード等の入力装置から構成され、ユーザによって入力される各種の情報を受け付ける。
【００３５】
表示部３５０は、液晶ディスプレイ等の表示装置から構成されている。表示部３５０は、制御部３１０により出力された各種の情報を表示出力する。
【００３６】
無線通信部３６０は、無線通信インターフェイスから構成される。無線通信部３６０は、制御部３１０による制御の元、照度計測装置２００を制御するための制御情報を、照度計測装置２００の無線通信部２３０へ送信する。また、無線通信部３６０は、照度計測装置２００の無線通信部２３０から送信された照度を表すデータを受信し、制御部３１０に出力する。
【００３７】
次に、照明制御装置３００の制御部３１０の機能的構成について説明する。
【００３８】
図９は、本発明の実施形態１に係る照明制御装置３００の制御部３１０の機能構成を示す概略ブロック図である。図９に示すように、制御部３１０は、ＣＰＵがＲＯＭに格納されたプログラムを実行することにより、発光制御部３１１、照度取得部３１２、影響度算出部３１３、照明位置特定部３１４として機能する。
【００３９】
発光制御部３１１は、照明装置１００それぞれの光度を制御する。具体的には、発光制御部３１１は、発光設定記憶部３２０１に記録された発光パターンに基づいて、各照明装置１００の発光を制御する。
【００４０】
例えば、図３に示すような発光パターンが発光設定記憶部３２０１に記録されていた場合、発光制御部３１１は、シーケンス番号の順に、照明装置１００毎に、その照明装置１００の照明ＩＤに対応する制御値の変化量αに基づいて、その照明装置１００の光度の制御値を表す制御情報を生成し、有線通信部３３０を介して照明装置１００に送信する。
【００４１】
ここで、照明ＩＤがｎである照明装置１００の、シーケンス番号ｋにおける制御値ａn,kは、制御値の変化量αn,k及び基準制御値Ｃnを用いて、以下の式により表される。
【数１】
2015041569.tif 000003
【００４２】
照度取得部３１２は、各照度計測装置２００から、各照度計測装置２００が計測した照度を取得する。具体的には、照度取得部３１２は、無線通信部３６０を介して、各照度計測装置２００から、その照度計測装置２００が計測した照度を表す計測値を受信し、シーケンス番号と対応付けて計測情報記憶部３２０３に格納する。
【００４３】
影響度算出部３１３は、発光制御部３１１による照明装置１００の光度の変化と、照度取得部３１２により取得された照度の変化と、に基づいて、照明装置１００毎に、照度計測装置２００に対する影響度を算出する。そして、影響度算出部３１３は、算出した影響度を影響度記憶部３２０４に格納する。
【００４４】
具体的には、影響度算出部３１３は、影響度の算出方法の一例として、計測ＩＤがｍである照度計測装置２００に対する照明ＩＤがｎである照明装置１００の影響度を、発光設定記憶部３２０１に記録された照明装置１００の制御値の変化量αn,kと、計測情報記憶部３２０３に記録された照度の計測値Ｅm,kとの相関値ｒm,nとして、以下の式により算出する。
【数２】
2015041569.tif 000004
【００４５】
照明位置特定部３１４は、照明装置１００毎に、影響度算出部３１３により算出された、照明装置１００の照度計測装置２００それぞれに対する影響度と、計測位置記憶部に記憶された照度計測装置２００それぞれの位置と、に基づいて、照明装置１００の位置を特定する。そして、照明位置特定部３１４は、特定した照明装置１００の位置を照明位置記憶部３２０６に格納する。
【００４６】
具体的には、照明位置特定部３１４は、照明装置１００の位置の特定方法の一例として、計測位置記憶部３２０４に記録された、計測ＩＤがｍである照度計測装置の位置ｐm＝（ｘm，ｙm）と、影響度算出部３１３により算出された影響度ｒm,nと、影響度ｒm,nに対する単調増加関数ｆ（ｒm,n）とを用いて、以下の式のように影響度を考慮した加重平均をとることにより、照明ＩＤがｎである照明装置１００の位置ｘn＝（ｘn，ｙn）を算出する。
【数３】
2015041569.tif 000005
【００４７】
次に、本実施形態における照明制御システム１の動作について説明する。
【００４８】
まず、照明制御装置３００が実行する照明位置特定処理の流れについて説明する。図１０は、照明制御装置３００が実行する照明位置特定処理の流れの一例を示すフローチャートである。図１０に示す照明位置特定処理は、例えば、ユーザから入力部３４０を介して、照明位置特定処理の開始を示す操作入力を受け付けたことを契機として開始される。
【００４９】
まず、発光制御部３１１は、シーケンス番号ｋの初期値として「１」を設定する（ステップＳ１１）。
【００５０】
次に、発光制御部３１１は、発光設定記憶部３２０１に記憶された、シーケンス番号がｋである制御量の変化値αに基づいて、各照明装置１００の光度の制御値ａを決定し、決定した制御値ａを表す制御情報を各照明装置１００に送信する（ステップＳ１２）。
【００５１】
次に、照度取得部３１２は、無線通信部３６０を介して、各照度計測装置２００から、その照度計測装置２００が計測した照度を表す計測値を受信する（ステップＳ１３）。照度取得部３１２は、そして、受信した計測値を、シーケンス番号ｋと、送信元の照度計測装置２００の計測ＩＤと対応付けて、計測情報記憶部３２０３に格納する。
【００５２】
次に、発光制御部３１１は、シーケンス番号ｋがＫに達したか否かを判定する（ステップＳ１４）。シーケンス番号ｋがＫに達していないと判定した場合（ステップＳ１４；Ｎｏ）、発光制御部３１１は、シーケンス番号ｋをインクリメントし（ステップＳ１５）、ステップＳ１２に処理を戻す。
【００５３】
発光制御部３１１が、シーケンス番号ｋがＫに達したと判定した場合（ステップＳ１４；Ｙｅｓ）、影響度算出部３１３は、発光設定記憶部３２０１に記憶された発光パターンと、計測情報記憶部３２０３に記録された各照度計測装置の計測値とに基づいて、照明装置１００毎に、照度計測装置２００に対応する影響度を算出し、影響度記憶部３２０４に記録する（ステップＳ１６）。
【００５４】
次に、照明位置特定部３１４は、影響度記憶部３２０４に記録された影響度と、計測位置記憶部３２０５に記録された照度計測装置２００の位置とに基づいて、各照明装置１００の位置を算出し、照明位置記憶部３２０６に記録する（ステップＳ１７）。
【００５５】
次に、照明位置特定部３１４は、ステップＳ１７において算出された各照明装置１００の位置を表示部３５０に表示する（ステップＳ１８）。そして、本処理を終了する。
【００５６】
以上説明したように、本実施形態に係る照明制御システム１は、照度計測装置２００を所定の位置に配置することで、照度計測装置２００の位置と、照明装置１００の照度計測装置２００に対する影響度とに基づいて、照明装置１００の位置を特定することができる。従って、照明制御システム１の基本機能である照明機能を使って、照明装置１００の位置を特定するため、照明制御システム１に位置検出のための新たな構成を加えることなく、既存の照明装置やシステムを活用して、照明装置の位置を特定することができる。また、特に、照明制御システム１の初期設定作業または保守作業において、作業効率を向上させることができる。
【００５７】
また、ユーザは、表示部３５０に表示された照明装置１００の位置に基づいて、照明装置１００を制御する際のグループ設定や、スケジュール設定を容易に行うことができる。また、照明装置１００が設置されたエリアにおける人の有無を表す在席情報と、照明装置１００の位置情報とに基づいて、照明装置１００の光度を制御することにより、省エネルギーを図ることができる。
【００５８】
（実施形態２）
次に、本発明の実施形態２について説明する。上記の実施形態１における照明制御システム１は、未知の照明装置１００の位置を算出しているが、照明制御システム１は、さらに、既知の照明装置１００の位置と、算出した照明装置１００の位置とから、既知の照明装置１００の設置位置に対して通信アドレスを対応付けるように構成されてもよい。本実施形態２では、照明制御装置３００が、図１１（ａ）に示すような、既知の照明装置１００の設置位置を記憶する既知照明位置記憶部３２０７と、図１１（ｂ）に示すような、既知の照明装置１００の設置位置と、その通信アドレスとを対応付けて記憶する照明位置アドレス記憶部３２０８と、を記憶部３２０に備える例について説明する。
【００５９】
図１１（ａ）は既知照明位置記憶部３２０７に格納されたデータの一例を表す図である。図１１（ａ）に示す例では、既知照明位置記憶部３２０７は、照明装置１００の設置位置と、その設置位置を識別するための設置ＩＤとを対応付けて記憶する。ここで、図１１（ａ）に示す照明装置１００の設置位置は、実施形態１における各照度計測装置２００の位置（ｘ、ｙ）と同様に、図７（ｂ）に示されるＸ−Ｙ座標系を用いて表される。各照明装置１００の設置位置は、例えば、予めユーザにより計測され、入力部３４０を介してその計測値が入力されることにより、既知照明位置記憶部３２０７に格納される。
【００６０】
また、本実施形態２において、照明位置特定部３１４は、特定した照明装置１００の位置と、既知照明位置記憶部３２０７に格納された照明装置１００の設置位置と、に基づいて、既知の照明装置１００の設置位置に対して通信アドレスを対応付ける。具体的には、照明位置特定部３１４は、照明位置記憶部３２０６に格納された照明装置１００の位置と、既知照明位置記憶部３２０７に格納された照明装置１００の設置位置とを比較し、照明位置記憶部３２０６に格納された照明装置１００の位置に最も近い照明装置１００の設置位置を特定する。そして、照明位置特定部３１４は、通信アドレス記憶部３２０２に格納された、その照明装置１００の通信アドレスと、その照明装置１００の設置位置とを対応付け、図１１（ｂ）に示すように照明位置アドレス記憶部３２０８に格納する。
【００６１】
例えば、照明位置特定部３１４は、図８に示す照明装置１００の位置のうち、照明ＩＤが「１」である照明装置１００について、その位置「(210,195)」に最も近い設定位置として、設置ＩＤが「Ｃ」である設置位置「(200,200)」を、図１１（ｂ）に示す既知照明位置記憶部３２０７から特定する。そして照明位置特定部３１４は、通信アドレス記憶部３２０２から、照明ＩＤが「１」である照明装置１００の通信アドレス「a1」を特定し、特定した照明装置１００の設置位置「(200,200)」に対応する設置ＩＤ「Ｃ」と、特定した通信アドレス「a1」とを対応付けて照明位置アドレス記憶部３２０８に格納する。
【００６２】
以上の構成により、本実施形態２に係る照明制御システム１では、予め照明装置１００が設置された位置がわかっていても、その通信アドレスが不明である場合、照明制御装置３００は、影響度に基づいて特定した照明装置１００の位置から、照明装置１００の既知の設置位置と、その通信アドレスとを対応付けることができる。すなわち、従来は、予め照明制御システムに照明総理が設置された位置が保持されていた場合であっても、その通信アドレスは不明であったため、通信アドレスに対応する照明装置を一台ずつ制御するなどして、通信アドレスと照明装置との対応を確認する必要があった。しかし、本実施形態２の構成により、照明装置の既知の設置位置と、その通信アドレスと容易に対応付けることができる。従って、特に、照明制御システム１の初期設定作業または保守作業において、作業効率を向上させることができる。
【００６３】
（実施形態３）
次に、本発明の実施形態３について説明する。上記の実施形態１では、照明制御システム１は、照度計測装置２００に対する影響度に基づいて、オフィスＯ内における照明装置１００の位置を特定する。しかし、照明制御システム１は、照度計測装置２００に対する影響度に基づいて、照度計測装置２００と所定の位置関係にある照明装置１００を特定し、その照明装置１００同士を１または複数のグループにグループ分けしてもよい。本実施形態３では、影響度に基づいて、照明装置１００をグループ分けする照明制御システム１について説明する。なお、実施形態１と同様の構成については、同じ符号を用い、その詳細な説明を省略する。
【００６４】
図１２は、実施形態３に係る照明制御装置３００の制御部３１０の機能構成を示す概略ブロック図である。図１２に示すように、実施形態２に係る制御部３１０は、実施形態１における照明位置特定部３１４（図９参照）に代えて、グループ特定部３１５として機能する。
【００６５】
グループ特定部３１５は、照度計測装置２００毎に、影響度算出部３１３により算出された、その照度計測装置２００に対する影響度が最も大きい照明装置１００を特定し、特定した照明装置１００を１つのグループを構成する照明装置１００として特定する。そして、グループ特定部３１５は、特定した照明装置１００を、そのグループと対応付けて照明グループ記憶部３２０９に格納する。
【００６６】
ここで、グループ特定部３１５によるグループの特定方法の一例を説明する。図１３は、本発明の実施形態３に係る照明制御システム１の概略配置を示すブロック図である。図１３に示すように、照度計測装置２００ａ，２００ｂは、予め、ユーザが１つのグループとして設定したい照明装置１００ｂ，１００ｃの直下にそれぞれ配置されている。すなわち、照度計測装置２００ａは、複数の照明装置１００ａ〜１００ｄそれぞれとの間の距離のうち、照明装置１００ｂとの間の距離が最も短くなる位置に配置される。同様に、照度計測装置２００ｂは、複数の照明装置１００ａ〜１００ｄそれぞれとの間の距離のうち、照明装置１００ｃとの間の距離が最も短くなる位置に配置される。
【００６７】
上記のように照度計測装置２００が配置された状態において、実施形態１と同様に、影響度の算出が行われ、算出された影響度が影響度記憶部３２０４に格納される。その後、グループ特定部３１５は、照度計測装置２００毎に、影響度記憶部３２０４に記録された、その照度計測装置２００に対する影響度のうち、最も大きい影響度に対応する照明装置１００を特定する。そして、グループ特定部３１５は、照度計測装置２００毎に特定された照明装置１００の照明ＩＤを、１つのグループとして、記憶部３２０に記録する。
【００６８】
具体的には、グループ特定部３１５は、影響度記憶部３２０４に記録された、照度計測装置２００ａに対する影響度のうち、最も大きい影響度に対応する照明装置１００として、照度計測装置２００ａとの距離が最も短い照明装置１００ｂを特定する。また、グループ特定部３１５は、影響度記憶部３２０４に記録された、照度計測装置２００ｂに対する影響度のうち、最も大きい影響度に対応する照明装置１００として、照度計測装置２００ｂとの距離が最も短い照明装置１００ｃを特定する。従って、グループ特定部３１５は、照明装置１００ｂ，１００ｃの照明ＩＤを、１つのグループとして、記憶部３２０に記録する。
【００６９】
以上の構成により、実施形態３に係る照明制御システム１では、オフィスＯ内に設置された照明装置１００の通信アドレスが不明であっても、ユーザが１つのグループとして一斉に制御したい照明装置１００それぞれの近傍に照度計測装置２００を配置することにより、容易に照明装置１００のグループ設定を行うことができる。従って、特に、照明制御システム１の初期設定作業または保守作業において、作業効率を向上させることができる。また、実施形態３に係る照明制御システム１において、さらに上記の実施形態１、２の構成を適用してもよい。これにより、照明装置の位置特定、照明装置１００の位置と通信アドレスとの対応付け、照明装置１００のグループ設定といった、照明制御システム１の初期設定をまとめて行うことができる。
【００７０】
なお、実施形態３の変形例として、予め照度計測装置２００を複数のグループに分け、グループ設定したい照明装置１００の下に、対応するグループに属する照度計測装置２００を設置し、複数のグループをまとめてグループ設定してもよい。これにより、照明装置１００について、複数のグループをまとめて設定することができる。また、照明装置の位置特定と、グループ設定とをまとめて行う場合、上記の実施形態３では照度計測装置２００の設置範囲が限定されるために、位置特定できる照明装置１００も限定される。これに対し、本変形例のように、照度計測装置２００を複数のグループに分けて、照明装置１００のグループ設定を行うとともに、全ての照度計測装置２００を使用して照明装置１００の位置特定を行うことで、広範囲における照明装置１００の位置を特定しつつ、グループ設定を行うことができる。
【００７１】
（実施形態４）
次に、実施形態４として、実施形態３におけるグループ特定部３１５によるグループの特定方法の別の例について説明する。
【００７２】
本実施形態４において、グループ特定部３１５は、照明装置１００毎に、その照明装置１００が最も大きい影響度を与える照度計測装置２００を特定し、特定された照度計測装置２００が同じである照明装置１００同士を、１つのグループを構成する照明装置１００として特定する。そして、グループ特定部３１５は、特定した照明装置１００を、そのグループと対応付けて照明グループ記憶部３２０９に格納する。
【００７３】
図１４は、本発明の実施形態４に係る照明制御システム１の概略配置を示すブロック図である。図１４に示すように、照度計測装置２００ａは、ユーザが１つのグループとして設定したい照明装置１００ａ，１００ｂの真ん中の位置に配置されている。また、照度計測装置２００ｂは、ユーザが別の１つのグループとして設定したい照明装置１００ｃ，１００ｄの真ん中の位置に配置されている。すなわち、照度計測装置２００は、ユーザが設定したい照明装置１００のグループ毎に配置され、そのグループに属する各照明装置１００からそのグループに対応して配置された照度計測装置２００までの距離が、他の照度計測装置２００までの距離よりも短くなる位置に配置される。
【００７４】
上記のように照度計測装置２００が配置された状態において、実施形態１と同様に、影響度の算出が行われ、算出された影響度が影響度記憶部３２０４に格納される。その後、グループ特定部３１５は、照明装置１００毎に、影響度記憶部３２０４に記録された、その照明装置１００が各照度計測装置２００に与える影響度のうち、最も大きい影響度に対応する照度計測装置２００を特定する。そして、グループ特定部３１５は、特定した照度計測装置２００が同じである照明装置１００の照明ＩＤを、１つのグループとして、記憶部３２０に記録する。
【００７５】
具体的には、照明位置特定部３１４は、影響度記憶部３２０４に記録された、照明装置１００ａの照度計測装置２００ａ，２００ｂそれぞれに対する影響度のうち、最も大きい影響度に対応する照度計測装置２００として、照明装置１００ａとの距離が短い照度計測装置２００ａを特定する。同様にして、グループ特定部３１５は、照明装置１００ｂに対して照度計測装置２００ａ、照明装置１００ｃ，１００ｄに対して照度計測装置２００ｂを特定する。従って、グループ特定部３１５は、照明装置１００ａ，１００ｂの照明ＩＤを、１つのグループとして、照明装置１００ｃ，１００ｄの照明ＩＤを、別のグループとして、記憶部３２０に記録する。
【００７６】
以上の構成により、本実施形態４に係る照明制御システム１では、オフィスＯ内に設置された照明装置１００の通信アドレスが不明であっても、ユーザが１つのグループとして一斉に制御したい照明装置１００のグループ毎に照度計測装置２００を配置することにより、容易に照明装置１００のグループ設定を行うことができる。従って、特に、照明制御システム１の初期設定作業または保守作業において、作業効率を向上させることができる。また、実施形態４に係る照明制御システム１において、さらに上記の実施形態１、２の構成を適用してもよい。これにより、照明装置の位置特定、照明装置１００の位置と通信アドレスとの対応付け、照明装置１００のグループ設定といった、照明制御システム１の初期設定をまとめて行うことができる。
【００７７】
（実施形態５）
次に、本発明の実施形態５について説明する。本実施形態５では、照度計測装置２００が配置された位置の照度が所定の照度となるように、照明装置１００の光度を制御する照明制御システム１について説明する。なお、実施形態１と同様の構成については、同じ符号を用い、その詳細な説明を省略する。
【００７８】
図１５は、実施形態５に係る照明制御装置３００の制御部３１０の機能構成を示す概略ブロック図である。図１５に示すように、実施形態５に係る制御部３１０は、実施形態１における発光制御部３１１、及び照明位置特定部３１４（図９参照）に代わって、基準光度特定部３１６、及び発光制御部３１１ａとして機能する。
【００７９】
基準光度特定部３１６は、照明装置１００毎に、発光制御部３１１ａにより制御される照明装置１００の光度の制御値と、該制御値で照明装置１００の光度を制御したときに、照明装置１００が最も大きい影響度を与える照度計測装置２００が計測した照度と、の対応関係を取得する。
【００８０】
例えば、基準光度特定部３１６は、照明装置１００ａについて、影響度記憶部３２０４に記録された照明装置１００ａに対応する影響度のうち、最も大きい影響度に対応する照度計測装置２００を特定する。そして、基準光度特定部３１６は、発光設定記憶部３２０１に記録された照明装置１００ａの制御値の変化量と、計測情報記憶部３２０３に記録された、特定された照度計測装置２００の照度と、に基づいて、照明装置１００ａの制御値と、特定された照度計測装置２００の照度との対応関係を特定する。具体的には、基準光度特定部３１６は、既知の統計学的手法を用いて、照度計測装置２００の照度を、照明装置１００ａの制御値を変数とする関数として表すことにより、照明装置１００ａの制御値と、特定された照度計測装置２００の照度との対応関係を取得する。
【００８１】
さらに、基準光度特定部３１６は、取得された対応関係に基づいて、照度計測装置２００毎に予め設定された所定の照度に対応する制御値（標準制御値）を特定する。ここで、照度計測装置２００毎に予め設定された所定の照度は、例えば床面や机上といった、照度計測装置２００が配置された位置においてユーザが所望する照度である。所定の照度は、例えば、予めユーザにより、入力部３４０を介して入力されることにより、記憶部３２０に記録されている。そして、基準光度特定部３１６は、図１６に示すように、照明装置１００毎に特定した標準制御値を、基準光度記憶部３２１０を格納する。
【００８２】
また、基準光度特定部３１６は、取得された対応関係に基づいて標準制御値を特定されなかった照明装置１００に関しては、実施形態１、２で得られた照明装置１００の位置情報を利用し、取得された対応関係に基づいて標準制御値を特定することができた照明装置１００のうち、最も近い位置にある照明装置１００を特定する。そして、基準光度特定部３１６は、特定した照明装置１００と同様の標準制御値を、対応関係に基づいて標準制御値が特定されなかった照明装置１００の標準制御値として、基準光度記憶部３２１０に格納する。
【００８３】
発光制御部３１１ａは、実施形態１に係る発光制御部３１１の機能に加えて、照明装置１００毎に、基準光度記憶部３２１０から照明装置１００に対応する制御値を特定し、特定した制御値で照明装置１００の光度を制御する。
【００８４】
以上の構成により、照度計測装置２００が配置された位置における照度が所望の照度になるような各照明装置１００の制御値を容易に設定することができる。すなわち、照度計測装置によるフィードバックがない照明制御システムの場合に、照明制御装置のスイッチ操作時などに所望の照度を得るためには、予め、対象場所が所望の照度となるような照明装置の制御値を特定し、保持しておく必要がある。しかし、制御値と実際に得られる照度との関係は、照明装置の設置環境（照明装置と、窓や壁面との距離など）によって変化するため、現場で一つずつ照明装置を制御するなどして、対象場所が所望の照度となるような照明装置の制御値（標準制御値）を特定する必要がある。これに対し、本実施形態５では、実施形態１乃至４で得られた照明装置１００の位置と、照明装置１００の制御値と照度計側装置２００の照度との対応関係とに基づいて、照明装置１００の標準制御値を特定する。従って、照明装置１００の標準制御値の特定作業を省力化することができる。特に、照明制御システム１の初期設定作業または保守作業において、作業効率を向上させることができる。また、照明制御システム１の通常使用時においては、照度計測装置２００を使用せず、標準制御値の特定にのみ照度計測装置２００を使用するため、通常使用時の費用を増加させることなく、所望の照度を得るための初期設定作業を省力化することができる。
【００８５】
なお、上記実施形態５の説明において、実施形態３及び４において説明した照明装置１００のグループが特定されている場合、そのグループを特定する際に用いた照度計測装置２００が計測した照度と、そのグループに属する照明装置１００の制御値とから、対応関係を取得し、グループ毎の制御値を特定してもよい。具体的には、実施形態３においては、あるグループを特定する際、照明装置１００と照度計測装置２００とが１対１で対応している。従って、１対１に対応している照明装置１００の制御値と照度計測装置２００の照度との対応関係により、標準制御値を特定することができる。また、実施形態４においては、あるグループを特定する際の、対応する照度計測装置２００について、最も影響度の大きい照明装置１００を特定する。そして、その照明装置１００の制御値とその照度計測装置２００の照度との対応関係により、標準制御値を特定し、同一グループに属する照明装置１００すべてに、特定した標準制御値を適用することができる。
【００８６】
また、上記実施形態５では、各照度計測装置２００について、影響度の最も大きい照明装置１００特定し、特定した照明装置１００と、対応する照度計測装置２００とについて、照明装置１００の制御値と、照度計測装置２００の照度との対応関係を取得し、標準制御値を特定している。しかし、標準制御値の特定方法はこれに限られない。例えば、ある照明装置１００から最も大きい影響度に対応する照度計測装置２００を特定し、その照明装置１００の制御値と照度計測装置２００の照度との対応関係を取得する。そして、取得した対応関係から、実施形態１、２においてすでに特定されている照明装置１００と照度計測装置２００との位置関係に基づいて、その照明装置１００の直下の位置における対応関係を算出する。そして、算出した直下の位置における対応関係に基づいて、その照明装置１００の標準制御値が特定されてもよい。
【００８７】
（実施形態６）
次に、本発明の実施形態６について説明する。本実施形態５に係る照明制御システム１では、基準光度記憶部３２１０に記録された制御値に基づいて、各照明装置１００の光度を制御するが、本実施形態６では、照明装置１００と対応付けて配置された別の照度計測装置により計測された照度に基づいて、照明装置１００の光度を制御する照明制御システム１について説明する。なお、実施形態５と同様の構成については、同じ符号を用い、その詳細な説明を省略する。
【００８８】
図１７は、本発明の実施形態６に係る照明制御システム１の概略配置を示すブロック図である。図１７に示すように、本実施形態に係る照明制御システム１は、照明装置１００、照度計測装置２００ａ，２００ｂ、及び照明制御装置３００に加えて、さらに照度計測装置４００ａ〜４００ｄから構成される。
【００８９】
照度計測装置４００ａ〜４００ｄは、通信線Ｌにより、照明制御装置３００と通信可能に接続され、計測した照度を表す情報を、照明制御装置３００に送信する。照度計測装置４００ａ〜４００ｄは、照明装置１００ａ〜１００ｄそれぞれと対応して、オフィスＯの天井Ｃに配置される。また、照度計測装置４００ａ〜４００ｄは、それぞれ同様に構成されており、以下の説明では、照度計測装置４００ａ〜４００ｄを総称して照度計測装置４００と呼ぶ。
【００９０】
図１８は、実施形態６に係る照明制御装置３００の制御部３１０の機能構成を示す概略ブロック図である。図１８に示すように、実施形態５に係る制御部３１０は、実施形態５における照度取得部３１２、基準光度特定部３１６、及び発光制御部３１１ａ（図１５参照）に代わって、照度取得部３１２ｂ、照度関係取得部３１７、及び発光制御部３１１ｂとして機能する。
【００９１】
照度取得部３１２ｂは、各照度計測装置２００から、各照度計測装置２００が計測した照度を取得するとともに、各照度計測装置４００から、各照度計測装置４００が計測した照度を取得する。具体的には、照度取得部３１２ｂは、無線通信部３６０を介して、各照度計測装置２００から、その照度計測装置２００が計測した照度を表す計測値を受信するとともに、有線通信部３３０を介して、各照度計測装置４００から、その照度計測装置４００が計測した照度を表す計測値を受信する。そして、照度取得部３１２ｂは、受信した両照度をシーケンス番号と対応付けて計測情報記憶部３２０３に格納する。
【００９２】
照度関係取得部３１７は、照明装置１００毎に、照明装置１００が所定の光度で照射したときの、照明装置１００が最も大きい影響度を与える照度計測装置２００により計測された照度と、照明装置１００に対応する照度計測装置４００により計測された照度と、の対応関係を取得する。
【００９３】
例えば、照度関係取得部３１７は、照明装置１００ａについて、影響度記憶部３２０４に記録された照明装置１００ａに対応する影響度のうち、最も大きい影響度に対応する照度計測装置２００ａを特定する。そして、照度関係取得部３１７は、シーケンス番号毎に、計測情報記憶部３２０３に記録された照度計測装置２００ａの照度に対する、照明装置１００ａに対応する照度計測装置４００ａの変化量を算出する。そして、照度関係取得部３１７は、シーケンス番号毎に取得された変化量について、シーケンス番号全体での平均値を算出し、照度計測装置２００ａが計測した照度を照度計測装置４００ａが計測した照度に補正するための補正値として、照度関係記憶部３２１１に格納する。
【００９４】
図１９に、照度関係記憶部３２１１に格納されたデータの一例を示す。図１９に示すように、照度関係記憶部３２１１は、照明装置１００毎に、その照明装置１００が最も大きい影響度を与える照度計測装置２００が計測した照度を、その照明装置１００に対応する照度計測装置４００に補正する補正値を記憶する。
【００９５】
また、照度関係取得部３１７は、照度計測装置２００により計測された照度と、照明装置１００に対応する照度計測装置４００により計測された照度と、の対応関係に基づいて補正値を特定されなかった照明装置１００に関しては、実施形態１、２で得られた照明装置１００の位置情報を利用し、対応関係に基づいて補正値を特定することができた照明装置１００のうち、最も近い位置にある照明装置１００を特定する。そして、照度関係取得部３１７は、特定した照明装置１００と同様の補正値を、対応関係に基づいて標準制御値が特定されなかった照明装置１００の補正値として、照度関係記憶部３２１１に格納する。
【００９６】
発光制御部３１１ｂは、実施形態１に係る発光制御部３１１の機能に加えて、照明装置１００毎に、照度関係記憶部３２１１から照明装置１００に対応する補正値を特定する。そして、発光制御部３１１ｂは、特定した補正値で、所定の照度を、照明装置１００に対応する照度計測装置４００により計測された照度に補正する。ここで、所定の照度とは、照度計測装置２００毎に予め設定され、例えば床面や机上といった、照度計測装置２００が配置された位置においてユーザが所望する照度である。所定の照度は、例えば、予めユーザにより、入力部３４０を介して入力されることにより、記憶部３２０に記録されている。そして、発光制御部３１１ｂは、照明装置１００に対応する照度計測装置４００により計測された照度が、補正された所定の照度となるように、照明装置１００の光度を制御する。
【００９７】
以上説明したように、照明装置１００が最も大きい影響度を与える照度計測装置２００が計測した照度と、その照明装置１００に対応する照度計測装置４００が計測した照度との対応関係を表す補正値を容易に設定することができる。また、設定された補正値と、照度計測装置４００が計測した照度とを参照して、照度計測装置２００が配置された位置における照度が所望の照度になるように、照明装置１００を制御することができる。従って、特に、照明制御システム１の初期設定作業または保守作業において、作業効率を向上させることができる。
【００９８】
すなわち、照明装置１００と対応関係にある照度計測装置４００により計測される照度が、予め定められた目標照度に近づくように照明装置１００の制御値を変化させる照明制御システムにおいて、例えば照度計測装置４００が天井に設置されている場合、照度計測装置４００で計測される照度と机上面等の所望の空間の照度とに隔たりがあるため、照度計測装置４００により計測される照度、または目標照度のいずれかを補正した上で、照明装置１００の制御値を決定する必要がある。しかし、照度計測装置４００で計測される照度と、机上面等の所望の空間の照度との関係は、照明装置１００の設置環境（照明装置１００と、窓や壁面との距離など）によって変化するため、補正値は、現場で机上面等の所望の空間の照度を計測し、照度計測装置４００の照度計測値と比較するなどして、一つずつ補正値を特定する必要がある。これに対し、本実施形態では、実施形態１乃至４で特定された照明装置１００の位置と、照度計測装置２００で計測される照度と、照度計測装置４００で計測される照度との対応関係に基づいて、照度計測装置４００において照明装置１００の制御値を決定のための補正値を特定している。
【００９９】
なお、上記実施形態６の説明において、実施形態３及び４において説明した照明装置１００のグループが特定されている場合、そのグループを特定する際に用いた照度計測装置２００が計測した照度と、そのグループに属する照明装置１００に対応する照度計測装置４００の照度とから、対応関係を取得し、グループ毎の補正値を特定してもよい。具体的には、実施形態３においては、あるグループを特定する際、照明装置１００と照度計測装置２００とが１対１で対応している。従って、照明装置１００に対応する照度計測装置４００の照度と、その照明装置１００と対応する照度計測装置２００の照度との対応関係により、補正値を特定することができる。また、実施形態４においては、あるグループを特定する際の、対応する照度計測装置２００について、最も影響度の大きい照明装置１００を特定する。そして、その照明装置１００に対応する照度計測装置４００の照度と、その照度計測装置２００の照度との対応関係により、補正値を特定し、同一グループに属する照明装置１００すべてに、特定した補正値を適用することができる。
【０１００】
なお、上記実施形態６の説明において、照度関係取得部３１７は、照明装置１００毎に、その照明装置１００が最も大きい影響度を与える照度計測装置２００が計測した照度を、その照明装置１００に対応する照度計測装置４００が計測した照度に補正する補正値を算出したが、照度関係取得部３１７が取得する、照度計測装置２００が計測した照度と、照度計測装置４００が計測した照度との関係はこれに限られない。例えば、照度関係取得部３１７は、その照明装置１００に対応する照度計測装置４００が計測した照度を、その照明装置１００が最も大きい影響度を与える照度計測装置２００が計測した照度に補正する補正値を算出してもよい。この場合、発光制御部３１１ｂは、照明装置１００に対応する照度計測装置４００が計測した照度を、補正値を用いて照明装置１００が最も大きい影響度を与える照度計測装置２００が計測した照度に補正し、補正後の照度が所定の照度となるように、照明装置１００の光度を制御すればよい。
【０１０１】
以上、本発明の実施形態について説明したが、本発明は実施形態によって限定されるものではない。
【０１０２】
例えば、上記の実施形態１乃至６において、影響度算出部３１３により算出された影響度が所定の閾値よりも小さい場合は、その影響度を無視してもよい。例えば、実施形態４では、照明装置１００が最も大きい影響度を与える照度計測装置２００を特定し、特定された照度計測装置２００が同じである照明装置１００同士を、１つのグループを構成する照明装置として特定する。ここで、複数の照明装置１００において、特定された照度計測装置２００が同じであっても、ある照明装置１００の最も大きい影響度が、他の照明装置１００の最も大きい影響度と比較して大幅に小さい場合、その照明装置１００は、他の照明装置１００とは離れた位置に配置されていると考えられる。すなわち、その照明装置１００は、ユーザが１つのグループとして設定したい照明装置１００ではないと考えられる。従って、このような照明装置１００をグループから外すため、照明制御装置３００は、算出された影響度が所定の閾値よりも小さい場合、すなわち、照明装置１００が照度計測装置２００から所定の距離以上離れている場合、その照明装置１００と照度計測装置２００とは関連がないとして、その影響度を無視してもよい。
【０１０３】
また、本発明に係る照明制御装置３００は、専用のシステムによらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行する照明制御装置３００を構成してもよい。
【０１０４】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行する照明制御装置３００として機能する。
【符号の説明】
【０１０５】
１  照明制御システム、１００（１００ａ〜１００ｄ）  照明装置、１１０  制御部、１２０  有線通信部、１３０  光源部、２００（２００ａ〜２００ｄ）  照度計測装置、２１０  制御部、２２０  照度センサ部、２３０  無線通信部、３００  照明制御装置、３１０  制御部、３１１，３１１ａ，３１１ｂ  発光制御部、３１２，３１２ｂ  照度取得部、３１３  影響度算出部、３１４  照明位置特定部、３１５  グループ特定部、３１６  基準光度特定部、３１７  照度関係取得部、３２０  記憶部、３２０１  発光設定記憶部、３２０２  通信アドレス記憶部、３２０３  計測情報記憶部、３２０４  影響度記憶部、３２０５  計測位置記憶部、３２０６  照明位置記憶部、３２０７  既知照明位置記憶部、３２０８  照明位置アドレス記憶部、３２０９  照明グループ記憶部、３２１０  基準光度記憶部、３２１１  照度関係記憶部、３３０  有線通信部、３４０  入力部、３５０  表示部、３６０  無線通信部、４００（４００ａ〜４００ｄ）  照度計測装置
【図１】
2015041569.tif 000006
【図２】
2015041569.tif 000007
【図３】
2015041569.tif 000008
【図４】
2015041569.tif 000009
【図５】
2015041569.tif 000010
【図６】
2015041569.tif 000011
【図７】
2015041569.tif 000012
【図８】
2015041569.tif 000013
【図９】
2015041569.tif 000014
【図１０】
2015041569.tif 000015
【図１１】
2015041569.tif 000016
【図１２】
2015041569.tif 000017
【図１３】
2015041569.tif 000018
【図１４】
2015041569.tif 000019
【図１５】
2015041569.tif 000020
【図１６】
2015041569.tif 000021
【図１７】
2015041569.tif 000022
【図１８】
2015041569.tif 000023
【図１９】
2015041569.tif 000024